(57)【要約】【課題】小さな屈曲した血管内での操作に良好な機械的特性を実現する新規で改善された構成のセンサ・ガイドワイヤ・アセンブリを提供する。【解決手段】基端部（２、２２）と、先端部に配置されているセンサ素子（９、２９）とを有し、生体内の生理学的変化を血管内にて測定するためのセンサ・ガイドワイヤ・アセンブリ（１、２１）であって、前記基端部（２、２２）から中空撚線（４、２４）の基端にまで延びている基端チューブ（３、２３）を有し、前記中空撚線（４、２４）は前記センサ素子（９、２９）が配置されている前記先端部にまで延びていることを特徴とする。【選択図】        図１
2007511308.tif 000002
【特許請求の範囲】
【請求項１】
基端部（２、２２）と、先端部に配置されているセンサ素子（９、２９）とを有し、生体内の生理学的変化を血管内にて測定するためのセンサ・ガイドワイヤ・アセンブリ（１、２１）であって、
前記基端部（２、２２）から中空撚線（４、２４）の基端にまで延びている基端チューブ（３、２３）を有し、前記中空撚線（４、２４）が前記先端部にまで延びていることを特徴とするセンサ・ガイドワイヤ・アセンブリ（１、２１）。
【請求項２】
前記センサ素子（９）がジャケット（５）の内部に配置され、前記中空撚線（４）が前記基端チューブ（３）と前記ジャケット（５）との間に配設されていることを特徴とする請求項１に記載のセンサ・ガイドワイヤ・アセンブリ（１）。
【請求項３】
前記センサ素子（２９）が前記中空撚線（２４）の内部に配置されていることを特徴とする請求項１に記載のセンサ・ガイドワイヤ・アセンブリ（２１）。
【請求項４】
前記センサ素子（２９）が配置されている部分において前記中空撚線（２４）から１本もしくは複数本の撚線が取り外されていることを特徴とする請求項３に記載のセンサ・ガイドワイヤ・アセンブリ（２１）。
【請求項５】
前記センサ素子（９、２９）が配置されている前記先端部から該センサ・ガイドワイヤ・アセンブリ（１、２１）の先端部材（７、２７）にまで延びるコアワイヤ（８、２８）が設けられていることを特徴とする前出のいずれか１項に記載のセンサ・ガイドワイヤ・アセンブリ（１、２１）。
【請求項６】
前記基端部（２）から該センサ・ガイドワイヤ・アセンブリ（１）の先端部材（７）にまで延びる安全線（１１）が設けられていることを特徴とする前出のいずれか１項に記載のセンサ・ガイドワイヤ・アセンブリ（１）。
【請求項７】
前記ジャケット（５）から該センサ・ガイドワイヤ・アセンブリ（１）の先端部材（７）にまで延びる安全線（１１）が設けられていることを特徴とする請求項２に記載のセンサ・ガイドワイヤ・アセンブリ（１）。
【請求項８】
前記基端チューブと前記中空撚線とが端面連結（ｂｕｔ  ｊｏｉｎｔ）によって連結されていることを特徴とする請求項１〜７のいずれか１項に記載のセンサ・ガイドワイヤ・アセンブリ（１、２１）。
【請求項９】
前記基端チューブと前記中空撚線とが重ね継ぎ（ｌａｐ  ｊｏｉｎｔ）によって連結されていることを特徴とする請求項１〜７のいずれか１項に記載のセンサ・ガイドワイヤ・アセンブリ（１、２１）。
【請求項１０】
前記基端チューブと前記中空撚線とがインターロック連結（ｉｎｔｅｒ−ｌｏｃｋｉｎｇ  ｊｏｉｎｔ）によって連結されていることを特徴とする請求項１〜７のいずれか１項に記載のセンサ・ガイドワイヤ・アセンブリ（１、２１）。
【請求項１１】
請求項１〜１０のいずれか１項に記載のセンサ・ガイドワイヤ・アセンブリ（１、２１）用の中空撚線（３１）であって、
該中空撚線（３１）の機械的特性が隣接の撚線（３２）同士が固着されることにより調整されていることを特徴とする中空撚線（３１）。
【請求項１２】
請求項１〜１０のいずれか１項に記載のセンサ・ガイドワイヤ・アセンブリ（１、２１）用の中空撚線（３１）であって、
該中空撚線（３１）の機械的特性が１本もしくは複数本の撚線（３２）が取り外されていることにより調整されていることを特徴とする中空撚線（３１）。
【請求項１３】
請求項１〜１０のいずれか１項に記載のセンサ・ガイドワイヤ・アセンブリ（１、２１）用の中空撚線（３１）であって、
該中空撚線（３１）の機械的特性が該中空撚線（３１）の径を小さくすることにより調整されていることを特徴とする中空撚線（３１）。
【請求項１４】
請求項１〜１０のいずれか１項に記載のセンサ・ガイドワイヤ・アセンブリ（１、２１）用の中空撚線（３１）であって、
該中空撚線（３１）の機械的特性が該中空撚線の所定の部分に、好適な物質、例えば、シリコーン、あるいは好適な接着剤が充填されることにより調整されていることを特徴とする中空撚線（３１）。
【請求項１５】
請求項１〜１０のいずれか１項に記載のセンサ・ガイドワイヤ・アセンブリ（１、２１）用の中空撚線（３１）であって、
該中空撚線（３１）の機械的特性が該撚線の所定の部分に、例えば、シリコーンあるいはポリウレタン製の圧接チューブが圧着されることにより調整されていることを特徴とする中空撚線（３１）。
【請求項１６】
請求項１〜１０のいずれか１項に記載のセンサ・ガイドワイヤ・アセンブリ（１、２１）用の中空撚線（３１）の機械的特性を調整する方法であって、
該中空撚線（３１）の機械的特性を隣接の撚線（３２）同士を固着することにより調整することを特徴とする中空撚線（３１）の機械的特性を調整する方法。
【請求項１７】
請求項１〜１０のいずれか１項に記載のセンサ・ガイドワイヤ・アセンブリ（１、２１）用の中空撚線（３１）の機械的特性を調整する方法であって、
該中空撚線（３１）の機械的特性を１本もしくは複数本の撚線（３２）を取り外すことにより調整することを特徴とする中空撚線（３１）の機械的特性を調整する方法。
【請求項１８】
請求項１〜１０のいずれか１項に記載のセンサ・ガイドワイヤ・アセンブリ（１、２１）用の中空撚線（３１）の機械的特性を調整する方法であって、
該中空撚線（３１）の機械的特性を該中空撚線（３１）の径を小さくすることにより調整することを特徴とする中空撚線（３１）の機械的特性を調整する方法。
【請求項１９】
請求項１〜１０のいずれか１項に記載のセンサ・ガイドワイヤ・アセンブリ（１、２１）用の中空撚線（３１）の機械的特性を調整する方法であって、
該中空撚線（３１）の機械的特性を該中空撚線の所定の部分に、好適な物質、例えば、シリコーン、あるいは好適な接着剤を充填することにより調整することを特徴とする中空撚線（３１）の機械的特性を調整する方法。
【請求項２０】
請求項１〜１０のいずれか１項に記載のセンサ・ガイドワイヤ・アセンブリ（１、２１）用の中空撚線（３１）の機械的特性を調整する方法であって、
該中空撚線（３１）の機械的特性を該撚線の所定の部分に、例えば、シリコーンあるいはポリウレタン製の圧接チューブを圧着することにより調整することを特徴とする中空撚線（３１）の機械的特性を調整する方法。
【発明の詳細な説明】
【技術分野】
【０００１】
本発明は、生体内の生理学的変化を血管内にて測定するための、ガイドワイヤの先端にセンサ素子が取り付けられてなるセンサ・ガイドワイヤ・アセンブリに関し、特に該ガイドワイヤの設計および構造に関するものである。また、本発明は、センサ・ガイドワイヤ・アセンブリ用の中空撚線と、該中空撚線の機械的特性を調整する方法に関するものである。
【背景技術】
【０００２】
ガイドワイヤの先端にセンサが取り付けられてなるセンサ・ガイドワイヤ・アセンブリは公知である。本願発明の譲受人に譲受された特許である特許文献１には、かかるセンサ・ガイドワイヤ・アセンブリの一例が開示されている。このセンサ・ガイドは、センサ素子、素子ユニット、前記センサ素子を前記電子ユニットに接続している信号伝送ケーブル、前記ケーブルと前記センサ素子とをその内部に配置する可撓性チューブ、金属ワイヤ、および前記金属ワイヤの先端に取り付けられているコイルを有してなる。前記センサ素子は、感圧デバイス、例えば、ホイートストン・ブリッジ型配列中に接続されたピアゾ抵抗素子をその上に取り付けてなる薄膜から構成されている。
【０００３】
前述の金属ワイヤ（コア・ワイヤとも呼称される）は、前記センサ・ガイドの先端から雄型コネクタが配列されている最基端部位にまで延びており、前記センサ・ガイドの可撓性、トルク能力（ｔｏｒｑｕｅａｂｉｌｉｔｙ）、および押圧能力（ｐｕｓｈａｂｉｌｉｔｙ）などの総体的な機械的特性を左右している。血管内測定用のセンサ・ガイドワイヤ・アセンブリは、長さが、例えば、１００〜３００ｃｍであり、小さな径、例えば、０．３５ｍｍを有している。したがって、必要とされる剛性および押圧能力を得るためには、前記金属ワイヤが前記可撓性チューブの内部空間の大部分を占めざるを得ず、その結果、センサ信号伝送導線を配置するスペースとして極狭い空間しか残せないことになる。
【０００４】
これに対して、日本特許出願である特許文献２には、コアワイヤを用いないセンサ・ガイドワイヤ・アセンブリが開示され、他の解決方法が示唆されている。前記総体的な機械的特性は、コアワイヤに依存する代わりに、その内部に電線を布設した中空撚線を用いることによって確保している。このような中空撚線は、例えば、アサヒ・インテック株式会社（Ａｓａｈｉ  Ｉｎｔｅｃｃ  Ｃｏ．，Ｌｔｄ．）から「アクトン（Ａｃｔｏｎｅ）」という登録商標名で市販されている。このガイドワイヤの先端には、感圧センサが金属ケーシング内に配置されており、前記撚線は前記センサ・ガイドの長さ方向に延びている。したがって、このセンサ・ガイドワイヤ・アセンブリには可撓性チューブは存在しない。
【０００５】
【特許文献１】米国特許第３５，６４８号明細書
【特許文献２】特開２００３−２６５６１７号公報
【発明の開示】
【発明が解決しようとする課題】
【０００６】
しかしながら、前記構成のセンサ・ガイドワイヤ・アセンブリ、すなわち、中空撚線を用い、可撓性チューブを用いない構成のセンサ・ガイドワイヤ・アセンブリは、実際に動作可能であるものの、センサ・ガイドの機械的特性を向上させることはできない。
【０００７】
本発明は、上記従来の事情に鑑みてなされたものであって、その目的は、小さな屈曲した血管内での操作に良好な機械的特性を実現する新規で改善された構成のセンサ・ガイドワイヤ・アセンブリを提供することにある。
【０００８】
本発明の他の目的は、本発明にしたがって作製されたセンサ・ガイドの剛性を調整する方法を提供することにある。
【課題を解決するための手段】
【０００９】
前記目的は、センサ・ガイドワイヤ・アセンブリにより実現されるとともに、独立クレームにかかる中空撚線によって実現される。
【００１０】
好適な実施例は、従属クレームによって定義される。
本発明の一実施例によれば、センサ・ガイドワイヤ・アセンブリは、基端チューブにその先端が接続されている基端雄型コネクタと、前記基端チューブの先端に接続されている中空撚線と、該中空撚線の先端に接続されるとともにセンサ素子を収容するジャケットと、該ジャケットの先端に接続されるとともに先端部材を有する先端コイルと、前記センサ素子を前記基端雄型コネクタに接続する少なくとも一つの導線とを有してなる。前記中空撚線は、該センサ・ガイドワイヤ・アセンブリの制限長さに沿って延び、前記基端チューブと協同して、該センサ・ガイドの総体的な機械的特性を決定する。
【００１１】
センサ・ガイドワイヤ・アセンブリの他の実施例では、前記センサ素子は中空撚線の内部に配置されている。すなわち、この実施例では、ジャケットを含まない。
【００１２】
本発明にかかるセンサ・ガイドの剛性および他の特性は、前記中空撚線を異なるいくつかの方法により調整することによって変えることができる。
【発明を実施するための最良の形態】
【００１３】
先に概略を説明したように、公知のセンサ・ガイドワイヤ・アセンブリは基端チューブを有する。該基端チューブは、基端雄型コネクタからジャケットまで延び、その内側にはセンサ素子が配置されている。あるいは、基端チューブが基端雄型コネクタからコイルに接続され、次に、このコイルがジャケットに接続される場合もある。この型式のセンサ・ガイドワイヤ・アセンブリは、さらに、このセンサ・ガイドワイヤ・アセンブリのほぼ全長に沿って延びているコアワイヤを有している。したがって、前記コアワイヤは、前記基端チューブより長く、前記基端雄型コネクタから、前記ジャケットを通り、該センサ・ガイドの先端にまで延びている。この設計によるセンサ・アセンブリは、例えば、特許文献１（米国特許第３５，６４８号明細書）に開示されている。
【００１４】
同様に、先に述べたように、前記示唆されたセンサ・ガイドワイヤ・アセンブリでは、中空撚線が、基端雄型コネクタから、センサ素子がジャケットの内側に配置されている先端部位にまで、延びている。前記中空撚線は、該センサ・ガイドに、屈曲した血管内にて実際に用いるために必要な剛性、トルク能力、および可撓性等の機械的特性を付与している。この型式のセンサ・アセンブリは、特許文献２（特開２００３−２６５６１７号公報）に開示されている。この特許文献２（公報）によれば、前記中空撚線内にはコアワイヤは配設されておらず、この特許文献２（特開２００３−２６５６１７号公報）には、中空撚線と基端チューブとを組み合わせて用いることは示唆されていない。このことは、特に注目されるべきことである。
【００１５】
本発明の目的を達成するためには、センサ素子がその先端に取り付けられているガイドワイヤの機械的特性は、本発明のセンサ・ガイドワイヤ・アセンブリを医療手術において実際に使用する際に、非常に重要であることが強調されるべきである。本発明によれば、センサ・ガイドワイヤ・アセンブリに中空撚線を組み込むことにより、小さな屈曲した血管内で操作するために必須である可撓性を向上できることが分かる。前述の特許文献２（特開２００３−２６５６１７号公報）の教示内容とは対照的に、この中空撚線は、このセンサ・ガイドの長さの大部分に沿って延びておらず、該センサ・ガイドの長さ方向の一部分に形成されているだけである。かかる設計では、例えば、押圧能力やトルク能力に関する該センサ・ガイドの性能が、中空撚線が基端の雄型コネクタからセンサ素子が配置されている先端にまで延びている構成のセンサ・ガイドと比較して、向上される。つまり、本発明者らは、中空撚線がセンサ・アセンブリのほぼ全長に亘って延びている必要はなく、基端チューブを用いれば、中空撚線が該センサ・ガイドの一部分にのみ形成されているだけでも、その機械的特性を向上できることを知見した。
【実施例】
【００１６】
以下に、本発明にかかるセンサ・ガイドワイヤ・アセンブリの実施例を図面に基づいて詳細に説明する。なお、この実施例によりこの発明が限定されるものではない。
【００１７】
（実施例１）
図１は、本発明にかかるセンサ・ガイドワイヤ・アセンブリ１の第１の実施例の概略を示す図である。このセンサ・アセンブリは、雄型コネクタを有する基端部２、可撓性基端チューブ３、中空撚線４、ジャケットもしくはスリーブ５、先端部材７を有するコイル６、先端コアワイヤ８、およびセンサ素子９を有してなり、前記センサ素子９は少なくとも一つの導線１０によって雄型コネクタに接続されている。使用に際して、前記基端部２内の前記雄型コネクタは、対応する雌型コネクタ（不図示）に挿入され、それにより前記センサ素子９からの測定信号が適当な表示装置（不図示）上に曲線もしくは数値として表示可能となる。このセンサ・アセンブリ１は、さらに、いわゆる安全線１１を有しており、この安全線１１は前記先端部材７に固定され、好ましくは前記基端コネクタ２にまで延びている。例えば、医師が患者の動脈に急カーブで押し込もうとして、このセンサ・アセンブリ１が破損した場合、前記安全線１１によって患者の動脈からセンサ・アセンブリ１の全ての部材を引き出すことができる。また、この安全線１１は、該センサ・アセンブリ１の製造時において有用である。つまり、構成部材を組み合わせ、構成部材を互いに配列する時の案内部材としての役割を果たすことができる。この安全線１１は、該センサ・アセンブリに沿って、より短く、例えば、先端部材７からジャケット５まで、設けるようにしても良い。
【００１８】
図１において、英大文字Ａ〜Ｅは、該センサ・ガイドの各構成領域の長さ方向の範囲を示しており、以下にそれらの寸法の実際の一例を示す。
Ａ＝先端領域の長さ＝２〜３ｃｍ
Ｂ＝センサ領域の長さ＝１〜３ｍｍ
Ｃ＝可撓領域の長さ＝２５〜４０ｃｍ
Ｄ＝チューブ領域の長さ＝１３５〜３００ｃｍ
Ｅ＝コネクタ領域の長さ＝１０〜４０ｍｍ
【００１９】
前記可撓領域の長さＣが該センサ・ガイドの全長より短いことが特に注目されるべき点である。この領域Ｃは、中空撚線、例えば、アサヒ・インテック株式会社からアクトンとう登録商標名で市販されている中空撚線から構成されている。かかる中空撚線は、高いトルク伝達特性および高い耐よじれ性を有している。
【００２０】
前記寸法記載から、さらに分かることは、前記可撓性チューブが該センサ・ガイドの長さの大部分を構成していることである。この可撓性チューブは、ステンレス鋼から構成することができ、例えば、前述の特許文献１に記載されている。しかし、特許文献１に開示の内容と対照して、本発明のセンサ・ガイドワイヤ・アセンブリの基端部にはコアワイヤが設けられていない点は、重要な相違点である。これは、前記可撓性チューブの壁部を、信号導線をセンサ素子から基端部に配設するための空間を必要限度以下に圧縮することなく、厚く形成することができることを意味している。
【００２１】
該センサ・アセンブリ１の他の部分、例えば、雄型コネクタ、ジャケット５、先端部７を有するコイル６、センサ素子９、および少なくとも一つの導線１０は、当業者に公知の方法により組み立てることができるので、本明細書において、その説明は省略する。しかし、コアワイヤ８が該センサ・ガイド１の先端部位にのみ配設されている点は、公知の構成と異なることは、注記しておくこととする。
【００２２】
（実施例２）
図２に、第２の実施例のセンサ・ガイドワイヤ・アセンブリ２１を示す。このセンサ・アセンブリ２１は、雄型コネクタを有してなる基端部２２、可撓性基端チューブ２３、中空撚線２４、先端部材２７を有するコイル２６、先端コアワイヤ２８、およびセンサ素子２９を有してなり、前記センサ素子２９は少なくとも一つの導線３０によって前記基端部２２内の雄型コネクタに接続されている。この図２に示すセンサ・アセンブリ２１が図１に示したセンサ・アセンブリ１と異なる点は、ジャケットもしくはスリーブが設けられていない点にある。代わりに、前記センサ素子２９は前記中空撚線２４内に配置されている。センサ素子２９と、周囲の媒質、例えば、血液との間の接触を向上するために、前記中空撚線２４の部位から１本もしくは複数本の撚線を取り外しても良い。この実施例を示す図２では、安全線が設けられていないが、この実施例２において安全線を設けた構成も可能である。また、注目すべきことに、前記中空撚線２４の部位（すなわち、図中、Ｃで示した部位）は、図中のＢで示したセンサ素子２９が配置されている領域と比較して、Ｃ部位における中空撚線２４の径寸法を小さくすることにより、さらに可撓性を向上させることが可能である。
【００２３】
先に示唆したように、中空撚線の特性、例えば、剛性は、異なったいくつかの方法により調整することができる。図３にその実現方法を例示する。図３では、中空撚線３１をＡ〜Ｄの４つの領域に分けて示しており、各領域はそれぞれ異なった変形がなされている。Ａ領域では、この中空撚線３１の剛性が、隣接の撚線同士を膠着させることによって増強されている。撚線は符号３２で示され、撚線間の接着剤は符号３３で示されている。接着剤の代わりに、撚線同士をその長手方向に沿って半田あるいは溶接により固着させても良い。
【００２４】
領域Ｂには、該中空撚線３１の剛性を増強する他の方法が示されており、この方法では、隣接の撚線３２同士が溶接３４により相互固定されている。この溶接の溶接点は、図に示すように、様々な配置が可能である。
【００２５】
領域Ｃには、該中空撚線３１の剛性が、１本もしくは複数本の撚線３２を取り外すことにより、低減する方法が示されている。該中空撚線３１の限られた部分から、１本もしくは複数本の撚線３２を取り除くことができる。
【００２６】
領域Ｄには、該中空撚線３１の剛性を低減する他の方法が示されており、この方法では、中空撚線３１の外径を小さくする。これは、圧接、研削等の種々の方法により実現可能である。
【００２７】
先に何度か述べたように、本発明のセンサ・ガイドは、従来技術において示唆されているセンサ・ガイドと異なり、中空撚線と可撓性の基端チューブとを有してなる。トルクを基端部位から最先端部位に伝達することは、医療手術において必要であることは明らかであり、トルクを基端部位から最先端部位に伝達することのできるセンサ・ガイドを得るためには、前記中空撚線と前記基端チューブは、互いに連結される必要がある。かかる複数の連結方法を図４−１から図４−５に示した。
【００２８】
図４−１に示す方法は、中空撚線４１を基端チューブ４２に連結するための、おそらく最も簡単な方法である。この方法では、中空撚線４１の平坦な端面を対応する基端チューブ４２の平坦な端面に連結させる。
【００２９】
図４−２に示す方法は、いわゆる重ね継ぎと呼称される方法である。この方法では、中空撚線５１の端部を、一方の端面が他の端面より突き出るように、切り欠く。基端チューブ５２の端部も同様に、一方の端面が他の端面より突き出るように、切り欠く。そして、図４−２に示すように、各部材の端部を重ね合わせ、溶接、半田付け、もしくは膠着により連結する。
【００３０】
図４−３に示す方法は、他の重ね継ぎ方法である。この方法では、中空撚線６１の端部を斜角に面取りする。基端チューブ６２の対応する端部も、対応するように、斜角に面取する。そして、各部材の斜角端部を重ね合わせ、溶接、半田付け、もしくは膠着により連結する。
【００３１】
図４−４に示す方法は、さらに手の込んだ重ね継ぎ方法である。この方法では、基端チューブ７２の端部の外径を小さくするとともに、対応する中空撚線７１の端部の内径を拡径する。その結果、中空撚線７１の端部に基端チューブ７２の端部を内挿することができ、その状態で、溶接、半田付け、もしくは膠着により連結する。端部の形成を逆にすることによって、すなわち、撚線側の外径を小さくし、チューブ側の内径を大きくすることによって、同様の重ね継ぎが可能である。
【００３２】
図４−５に示す方法は、いわゆるインターロック連結と呼称される方法である。この方法では、基端チューブ８２の端部に、中空撚線８１の各撚線が嵌り込む螺旋状の溝８３を形成する。その結果、中空撚線８１の端部を基端チューブ８２の端部に内挿することができる。この連結状態を、溶接、半田付け、もしくは膠着により、さらに確実にすることができる。
【００３３】
本発明の他の実施例では、前記基端チューブを省略し、該センサ・ガイドワイヤ・アセンブリの前記中空撚線を前記基端部から先端部まで延ばす。この実施例では、前記先端部にジャケットもしくはスリーブを設ける場合も、設けない場合も、どちらも可能である。この実施例のアセンブリにおいても、上記各実施例の基端チューブにより得られる必須な機械的特性は、上記各実施例における機械的特性の調製方法により、例えば、隣接撚線同士を固定することにより、および／または１本もしくは複数本の撚線を取り除くことにより、および／または中空撚線の径を小さくすることにより、同様に得ることができる。
【００３４】
さらに、前述の全ての実施例を組み合わせることで、該アセンブリの機械的特性のさらに他の調整方法を、以下の手順を実行することにより、実現しても良い：
前記撚線の所定の部位における各撚線をレーザ溶接する。
前記中空撚線の所定の部分に、好適な物質、例えば、シリコーン、あるいは好適な接着剤を充填する。
前記撚線の所定の部分に、例えば、シリコーンあるいはポリウレタン製の圧接チューブを圧着する。
該撚線の撚線数を調整する。
該撚線の各撚線の太さを調整する。
【００３５】
以上、本発明を、具体的な実施例を参照すると同時に、図面を示しつつ説明したが、明細書の詳細な説明および特許請求の範囲の定義の範囲において、様々な変形、変更が可能であることは、当業者には、明らかであろう。
【図面の簡単な説明】
【００３６】
【図１】本発明にかかるセンサ・ガイドワイヤ・アセンブリの第１の実施例を概略的に示す図である。
【図２】本発明にかかるセンサ・ガイドワイヤ・アセンブリの第２の実施例を概略的に示す図である。
【図３】本発明にかかるセンサ・ガイドワイヤ・アセンブリの構成要素である中空撚線の機械的特性を調整する異なった方法を示す図である。
【図４−１】本発明にかかるセンサ・ガイドワイヤ・アセンブリにおいて基端チューブを中空撚線に連結するためのジョイントの異なった型式を示す図である。
【図４−２】本発明にかかるセンサ・ガイドワイヤ・アセンブリにおいて基端チューブを中空撚線に連結するためのジョイントの異なった型式を示す図である。
【図４−３】本発明にかかるセンサ・ガイドワイヤ・アセンブリにおいて基端チューブを中空撚線に連結するためのジョイントの異なった型式を示す図である。
【図４−４】本発明にかかるセンサ・ガイドワイヤ・アセンブリにおいて基端チューブを中空撚線に連結するためのジョイントの異なった型式を示す図である。
【図４−５】本発明にかかるセンサ・ガイドワイヤ・アセンブリにおいて基端チューブを中空撚線に連結するためのジョイントの異なった型式を示す図である。
【図１】
2007511308.tif 000003
【図２】
2007511308.tif 000004
【図３】
2007511308.tif 000005
【図４−１】
2007511308.tif 000006
【図４−２】
2007511308.tif 000007
【図４−３】
2007511308.tif 000008
【図４−４】
2007511308.tif 000009
【図４−５】
2007511308.tif 000010
【手続補正書】
【提出日】平成17年6月29日(2005.6.29)
【手続補正１】
【補正対象書類名】特許請求の範囲
【補正対象項目名】全文
【補正方法】変更
【補正の内容】
【特許請求の範囲】
【請求項１】
基端部（２、２２）と、先端部に配置されているセンサ素子（９、２９）とを有し、生体内の生理学的変化を血管内にて測定するためのセンサ・ガイドワイヤ・アセンブリ（１、２１）であって、
前記基端部（２、２２）から中空撚線（４、２４）の基端にまで延びている基端チューブ（３、２３）を有し、前記中空撚線（４、２４）が前記先端部にまで延びていることを特徴とするセンサ・ガイドワイヤ・アセンブリ（１、２１）。
【請求項２】
前記センサ素子（９）がジャケット（５）の内部に配置され、前記中空撚線（４）が前記基端チューブ（３）と前記ジャケット（５）との間に配設されていることを特徴とする請求項１に記載のセンサ・ガイドワイヤ・アセンブリ（１）。
【請求項３】
前記センサ素子（２９）が前記中空撚線（２４）の内部に配置されていることを特徴とする請求項１に記載のセンサ・ガイドワイヤ・アセンブリ（２１）。
【請求項４】
前記センサ素子（２９）が配置されている部分において前記中空撚線（２４）から１本もしくは複数本の撚線が取り外されていることを特徴とする請求項３に記載のセンサ・ガイドワイヤ・アセンブリ（２１）。
【請求項５】
前記センサ素子（９、２９）が配置されている前記先端部から該センサ・ガイドワイヤ・アセンブリ（１、２１）の先端部材（７、２７）にまで延びるコアワイヤ（８、２８）が設けられていることを特徴とする前出のいずれか１項に記載のセンサ・ガイドワイヤ・アセンブリ（１、２１）。
【請求項６】
前記基端部（２）から該センサ・ガイドワイヤ・アセンブリ（１）の先端部材（７）にまで延びる安全線（１１）が設けられていることを特徴とする前出のいずれか１項に記載のセンサ・ガイドワイヤ・アセンブリ（１）。
【請求項７】
前記ジャケット（５）から該センサ・ガイドワイヤ・アセンブリ（１）の先端部材（７）にまで延びる安全線（１１）が設けられていることを特徴とする請求項２に記載のセンサ・ガイドワイヤ・アセンブリ（１）。
【請求項８】
前記基端チューブと前記中空撚線とが端面連結（ｂｕｔ  ｊｏｉｎｔ）によって連結されていることを特徴とする請求項１〜７のいずれか１項に記載のセンサ・ガイドワイヤ・アセンブリ（１、２１）。
【請求項９】
前記基端チューブと前記中空撚線とが重ね継ぎ（ｌａｐ  ｊｏｉｎｔ）によって連結されていることを特徴とする請求項１〜７のいずれか１項に記載のセンサ・ガイドワイヤ・アセンブリ（１、２１）。
【請求項１０】
前記基端チューブと前記中空撚線とがインターロック連結（ｉｎｔｅｒ−ｌｏｃｋｉｎｇ  ｊｏｉｎｔ）によって連結されていることを特徴とする請求項１〜７のいずれか１項に記載のセンサ・ガイドワイヤ・アセンブリ（１、２１）。
【請求項１１】
前記中空撚線（３１）の機械的特性が隣接の撚線（３２）同士が固着されることにより調整されていることを特徴とする請求項１に記載のセンサ・ガイドワイヤ・アセンブリ（１）。
【請求項１２】
前記中空撚線（３１）の機械的特性が１本もしくは複数本の撚線（３２）が取り外されていることにより調整されていることを特徴とする請求項１に記載のセンサ・ガイドワイヤ・アセンブリ（１）。
【請求項１３】
前記中空撚線（３１）の機械的特性が該中空撚線（３１）の径を小さくすることにより調整されていることを特徴とする請求項１に記載のセンサ・ガイドワイヤ・アセンブリ（１）。
【請求項１４】
前記中空撚線（３１）の機械的特性が該中空撚線の所定の部分に、好適な物質、例えば、シリコーン、あるいは好適な接着剤が充填されることにより調整されていることを特徴とする請求項１に記載のセンサ・ガイドワイヤ・アセンブリ（１）。
【請求項１５】
前記中空撚線（３１）の機械的特性が該撚線の所定の部分に、例えば、シリコーンあるいはポリウレタン製の圧接チューブが圧着されることにより調整されていることを特徴とする請求項１に記載のセンサ・ガイドワイヤ・アセンブリ（１）。
【国際調査報告】
2007511308.tif 000011
2007511308.tif 000012
2007511308.tif 000013
2007511308.tif 000014
2007511308.tif 000015